(57)【要約】  互いに異なるファイル・システムを利用するコンテンツ記録または／及び再生装置間でも、ＭＰＶファイルを基盤にしたコンテンツ資産を共有できるように、コンテンツ資産に対するラストＵＲＩを生成する方法及び装置、並びにその方法を実行するプログラムの記録された記録媒体を提供する。該方法は、プロトコルタイプ情報によってコンテンツ資産に対する絶対的なラストＵＲＩと相対的なラストＵＲＩとのうち一つをコンテンツ資産のラストＵＲＩとして生成することによって、互いに異なるタイプのファイル・システムを利用するコンテンツ記録または／及び再生装置間に、ＭＰＶファイルを基盤にしたコンテンツ資産を容易に見つけることができ、相互間にＭＰＶファイルを基盤にしたコンテンツ資産を共有できる。
2009503642.tif 000002
【特許請求の範囲】
【請求項１】
コンテンツ資産の位置についての情報から、プロトコルタイプ情報を検出する段階と、
前記プロトコルタイプ情報によって、前記コンテンツ資産に対する絶対的なラストＵＲＩと相対的なラストＵＲＩとのうち一つを、前記コンテンツ資産のラストＵＲＩとして生成する段階とを含むことを特徴とするラストＵＲＩ生成方法。
【請求項２】
前記ラストＵＲＩ生成段階は、
前記プロトコルタイプ情報がネットワークドメインを表せば、前記コンテンツ資産の絶対的なラストＵＲＩを前記コンテンツ資産のラストＵＲＩとして生成し、
前記プロトコルタイプ情報がローカルドメインを表せば、前記コンテンツ資産の相対的なラストＵＲＩを前記コンテンツ資産のラストＵＲＩとして生成することを特徴とする請求項１に記載のラストＵＲＩ生成方法。
【請求項３】
前記絶対的なラストＵＲＩは、前記コンテンツ資産の位置についての情報に含まれているプロトコルタイプ情報と、前記コンテンツ資産についてのあらゆる経路情報とを利用して生成され、
前記相対的なラストＵＲＩは、前記コンテンツ資産の位置についての情報に含まれている前記コンテンツ資産に相応するＭＰＶファイルの位置を基準にした経路情報を利用して生成されることを特徴とする請求項２に記載のラストＵＲＩ生成方法。
【請求項４】
コンテンツ資産の位置についての情報から、プロトコルタイプ情報を検出する検出部と、
前記検出部により検出されたプロトコルタイプ情報によって、前記コンテンツ資産に対する絶対的なラストＵＲＩと相対的なラストＵＲＩとのうち一つを、前記コンテンツ資産のラストＵＲＩとして生成するラストＵＲＩ生成部とを備えることを特徴とするラストＵＲＩ生成装置。
【請求項５】
前記ラストＵＲＩ生成部は、
前記検出部により検出されたプロトコルタイプ情報がネットワークドメインを表せば、前記コンテンツ資産に対する絶対的なラストＵＲＩを生成する第１ラストＵＲＩ生成器と、
前記検出部により検出されたプロトコルタイプ情報がローカルドメインを表せば、前記コンテンツ資産に対する相対的なラストＵＲＩを生成する第２ラストＵＲＩ生成器とを備えることを特徴とする請求項４に記載のラストＵＲＩ生成装置。
【請求項６】
前記ラストＵＲＩ生成部は、
前記検出部により検出されたプロトコルタイプ情報がネットワークドメインを表しているか、またはローカルドメインを表しているかを判別するプロトコルタイプ判別器をさらに備え、
前記第１ラストＵＲＩ生成器及び前記第２ラストＵＲＩ生成器は、前記プロトコルタイプ判別器の判別結果によって動作することを特徴とする請求項５に記載のラストＵＲＩ生成装置。
【請求項７】
前記第１ラストＵＲＩ生成器は、前記プロトコルタイプ情報と、前記コンテンツ資産についてのあらゆる経路情報とを利用し、前記絶対的なラストＵＲＩとして生成することを特徴とする請求項６に記載のラストＵＲＩ生成装置。
【請求項８】
前記第２ラストＵＲＩ生成器は、前記コンテンツ資産に相応するＭＰＶファイルを基準にした前記コンテンツ資産に対する経路情報を利用し、前記相対的なラストＵＲＩを生成することを特徴とする請求項７に記載のラストＵＲＩ生成装置。
【請求項９】
前記第２ラストＵＲＩ生成器は、前記コンテンツ資産に相応するＭＰＶファイルを基準にした前記コンテンツ資産に対する経路情報を利用し、前記相対的なラストＵＲＩを生成することを特徴とする請求項６に記載のラストＵＲＩ生成装置。
【請求項１０】
前記第１ラストＵＲＩ生成器は、前記プロトコルタイプ情報と、前記コンテンツ資産についてのあらゆる経路情報とを利用し、前記絶対的なラストＵＲＩとして生成することを特徴とする請求項５に記載のラストＵＲＩ生成装置。
【請求項１１】
前記第２ラストＵＲＩ生成器は、前記コンテンツ資産に相応するＭＰＶファイルを基準にした前記コンテンツ資産に対する経路情報を利用し、前記相対的なラストＵＲＩを生成することを特徴とする請求項５に記載のラストＵＲＩ生成装置。
【請求項１２】
マルチメディア応用環境でコンテンツ資産の位置を表すラストＵＲＩを生成する方法を実行するプログラムの記録されたコンピュータで読み取り可能な記録媒体において、前記生成方法は、
コンテンツ資産の位置についての情報から、プロトコルタイプ情報を検出する段階と、
前記プロトコルタイプ情報によって、前記コンテンツ資産に対する絶対的なラストＵＲＩと相対的なラストＵＲＩとのうち一つを、前記コンテンツ資産のラストＵＲＩとして生成する段階とを含むことを特徴とする記録媒体。
【請求項１３】
マルチメディアコンテンツ資産を制御するためのファイルに含まれたコンテンツ資産のラストＵＲＬを生成する方法において、
前記ファイルの位置情報を基に、前記コンテンツ資産の相対的なラストＵＲＬを生成する段階を含むことを特徴とするラストＵＲＬ生成方法。
【請求項１４】
前記マルチメディアコンテンツ資産を制御するためのファイルは、ＭＰＶ標準によるファイルであることを特徴とする請求項１３に記載のラストＵＲＬ生成方法。
【請求項１５】
前記相対的なラストＵＲＬは、前記コンテンツ資産の名称を含むことを特徴とする請求項１３に記載のラストＵＲＬ生成方法。
【請求項１６】
マルチメディアコンテンツ資産を制御するためのファイルに含まれたコンテンツ資産のラストＵＲＬを生成する方法において、
前記ファイルに位置したディレクトリを、前記コンテンツ資産のラストＵＲＬの現在ディレクトリとして認識する段階と、
前記現在ディレクトリを基に、前記コンテンツ資産の相対的なラストＵＲＬを生成する段階とを含むことを特徴とするラストＵＲＬ生成方法。
【請求項１７】
前記マルチメディアコンテンツ資産を制御するためのファイルは、ＭＰＶ規格によるファイルであることを特徴とする請求項１６に記載のラストＵＲＬ生成方法。
【請求項１８】
前記相対的なラストＵＲＬは、前記コンテンツ資産の名称を含むことを特徴とする請求項１６に記載のラストＵＲＬ生成方法。
【発明の詳細な説明】
【技術分野】
【０００１】
本発明は、マルチメディア応用環境でコンテンツ資産の位置を表すラストＵＲＩ（ＬａｓｔＵＲＩ（Uniform  Resource  Identifier））を生成する方法及び装置、並びにその方法を実行するプログラムの記録された記録媒体に関する。
【背景技術】
【０００２】
最近になって、パソコンを利用して静止写真（still  image）、デジタル・ビデオ、デジタル・オーディオ、テキストのようなメディア・ファイルを処理して再生している。そして、かようなメディアを生成する装置、例えばデジタルカメラ、デジタルカムコーダ、デジタルオーディオ再生機（ＭＰ３、ＷＭＡ）のような装置が多用されることにより、多様な種類のコンテンツが大量に生成されている。
【０００３】
しかし、パソコンのようなコンテンツ再生装置とコンテンツ生成装置とが、互いに異なる情報構造と互いに異なるデータ処理方式とにより、相互連動性が脆弱である。これを補強するために、ＯＳＴＡ（Optical  Storage  Technology  Association）とＩ３Ａ（International  Imaging  Industry  Association）とによりＭＰＶ（Music  Photo  Video）規格に対する標準化が進められている。
【０００４】
ＭＰＶ規格は、光学ディスク、メモリカード、コンピュータ・ハードディスクのような記録媒体または保存装置に保存されたり、またはインターネット・プロトコルにより交換される静止写真、ビデオ、オーディオ、テキスト、ドキュメントのようなマルチメディアデータを容易に管理、再生及び交換することを主目的としている。
【０００５】
かようなＭＰＶ規格には、コンテンツ資産の保存位置を示すラストＵＲＩが定義されている。前記ラストＵＲＩは、ラストＵＲＬ（Uniform  Resource  Locator）ともいう。従って、ＭＰＶ規格によって生成されるＭＰＶファイルには、各コンテンツ資産のラストＵＲＩが含まれており、該ラストＵＲＩを基に、コンテンツ資産を読み込んで再生できる。
【０００６】
しかし、コンテンツ記録または／及び再生装置間のファイル・システム（file  system）のタイプが異なれば、ＭＰＶファイルに含まれるコンテンツ資産のラストＵＲＩが異なりうる。これは、ファイル・システムのタイプによって、ファイルを示す形式が異なるためである。例えば、運営体系（ＯＳ：Operating  System）がウィンドウ（Window）である場合、「ドライブ名」で経路表現を始めるが、運営体系がリナックス（Linux）である場合、「／」で経路表現を始める。従って、運営体系がウィンドウであるコンテンツ記録装置で生成されるコンテンツ資産のラストＵＲＩは、例えば「ｃ：／ｍｅｄｉａ／ｉｍａｇｅ．ｊｐｇ」のように生成されるが、運営体系がリナックスであるコンテンツ記録装置で生成されるコンテンツ資産のラストＵＲＩは、例えば「／ｍｅｄｉａ／ｉｍａｇｅ．ｊｐｇ」のように生成されうる。
【０００７】
従って、使用するファイル・システムの異なるコンテンツ記録または／及び再生装置間には、ＭＰＶファイルに含まれているラストＵＲＩを基にコンテンツ資産を見つけることができないので、相互間にＭＰＶファイルを基にしたコンテンツ資産を共有できない。
【発明の開示】
【発明が解決しようとする課題】
【０００８】
本発明がなそうとする技術的課題は、互いに異なるファイル・システムを利用するコンテンツ記録または／及び再生装置間でも、ＭＰＶファイルとして生成されたコンテンツ資産を共有できるように、コンテンツ資産に対するラストＵＲＩを生成する方法及び装置、並びにその方法を実行するプログラムの記録された記録媒体を提供するところにある。
【課題を解決するための手段】
【０００９】
前述の技術的課題を達成するために、本発明は、コンテンツ資産の位置についての情報から、プロトコルタイプ情報を検出する段階と、前記プロトコルタイプ情報によって、前記コンテンツ資産に対する絶対的なラストＵＲＩと相対的なラストＵＲＩとのうち一つを、前記コンテンツ資産のラストＵＲＩとして生成する段階とを含むラストＵＲＩ生成方法を提供する。
【００１０】
前述の技術的課題を達成するために、本発明は、コンテンツ資産の位置についての情報から、プロトコルタイプ情報を検出する検出部と、前記検出部により検出されたプロトコルタイプ情報によって、前記コンテンツ資産に対する絶対的なラストＵＲＩと相対的なラストＵＲＩとのうち一つを、前記コンテンツ資産のラストＵＲＩとして生成するラストＵＲＩ生成部とを備えるラストＵＲＩ生成装置を提供する。
【００１１】
前述の技術的課題を達成するために、本発明は、マルチメディア応用環境でコンテンツ資産の位置を示すラストＵＲＩを生成する方法を実行するプログラムの記録されたコンピュータで読み取り可能な記録媒体において、前記生成方法は、コンテンツ資産の位置についての情報から、プロトコルタイプ情報を検出する段階と、前記プロトコルタイプ情報によって、前記コンテンツ資産に対する絶対的なラストＵＲＩと相対的なラストＵＲＩとのうち一つを、前記コンテンツ資産のラストＵＲＩとして生成する段階とを含むことを特徴とする記録媒体を提供する。
【発明の効果】
【００１２】
本発明は、マルチメディア応用環境でラストＵＲＩを生成するとき、コンテンツ資産の位置についての情報に含まれているプロトコルタイプがネットワークドメインならば、絶対的なラストＵＲＩを生成し、プロトコルタイプがローカルドメインならば、相対的なラストＵＲＩを生成することによって、コンテンツ記録または／及び再生装置で使用するファイル・システムのタイプに関係なしにコンテンツ資産を容易にさがすことができ、互いに異なるファイル・システムで運営される装置間に、ＭＰＶファイルとして生成されたコンテンツ資産を共有できる。
【発明を実施するための最良の形態】
【００１３】
以下、添付された図面を参照しつつ、本発明の望ましい実施形態について詳細に説明する。
【００１４】
図１は、本発明の望ましい実施形態によるラストＵＲＩ（Uniform  Resource  Identifier）生成装置の機能ブロック図である。図１を参照するに、ラストＵＲＩ生成装置は、プロトコルタイプ情報検出部１０１、ラストＵＲＩ生成部１１０を備える。
【００１５】
プロトコルタイプ情報検出部１０１は、コンテンツ資産の位置についての情報が入力されれば、入力情報に含まれているプロトコルタイプ情報を検出する。すなわち、入力情報中から、ｈｔｔｐ（hypertext-transfer  protocol）、ｆｔｐ（file  transfer  protocols）のようなネットワーク・ドメイン（network  domain）を示す情報、またはドライブを指定するローカル・ドメイン（local  domain）を示す情報を検出する。検出方式は、入力情報のうち特定の識別子（例えば、コロン（：））を探し、特定の識別子の前にある情報をプロトコルタイプ情報として検出するか、または入力可能なプロトコルタイプ情報を事前に保存し、入力情報のうち保存されたプロトコルタイプ情報と一致する情報が存在すれば、一致する情報をプロトコルタイプ情報として検出する方式で具現できる。
【００１６】
コンテンツ資産の位置についての情報は、プロトコルタイプ情報、コンテンツ資産の名称、コンテンツ資産に対する経路情報（またはコンテンツ資産のあるディレクトリ位置）、及びコンテンツ資産に相応するＭＰＶ（Multi  Photo  Video）ファイル名、前記ＭＰＶファイルの経路情報（またはＭＰＶファイルのあるディレクトリ位置）を含むことができる。前記コンテンツ資産についての経路情報は、プロトコルタイプがネットワーク・ドメインの場合に、コンテンツ資産のあるウェブサイト・アドレスを含む。前記コンテンツ資産の位置についての情報は、ユーザにより入力されうる。
【００１７】
プロトコルタイプ情報検出部１０１により検出されたプロトコルタイプ情報は、ラストＵＲＩ生成部１１０に伝送される。
【００１８】
ラストＵＲＩ生成部１１０は、プロトコルタイプ情報検出部１０１からプロトコルタイプ情報が受信されれば、受信されたプロトコルタイプ情報によって入力されるコンテンツ資産の位置についての情報を利用し、コンテンツ資産に対する絶対的なラストＵＲＩと相対的なラストＵＲＩとのうち一つをコンテンツ資産のラストＵＲＩとして生成する。
【００１９】
このために、ラストＵＲＩ生成部１１０は、プロトコルタイプ判別器１１１、第１ラストＵＲＩ生成器１１２、及び第２ラストＵＲＩ生成器１１３を備える。
【００２０】
プロトコルタイプ判別器１１１は、プロトコルタイプ情報が入力されれば、入力されたプロトコルタイプ情報がネットワーク・ドメインを表しているか、またはローカル・ドメインを表しているかを判別する。判別方式は、入力されたプロトコルタイプ情報が伝送プロトコルに該当すれば、ネットワーク・ドメインを示すと判別し、入力されたプロトコルタイプ情報が伝送プロトコルでなければ、ローカル・ドメインを示すと判別するように具現されうる。
【００２１】
プロトコルタイプ判別器１１１は、判別結果によって、第１ラストＵＲＩ生成器１１２と第２ラストＵＲＩ生成器１１３との動作を制御する。すなわち、プロトコルタイプ情報がネットワーク・ドメインを表せば、プロトコルタイプ判別器１１１は、第１ラストＵＲＩ生成器１１２を動作させ、プロトコルタイプ情報がローカル・ドメインを表せば、プロトコルタイプ判別器１１１は、第２ラストＵＲＩ生成器１１３を動作させる。
【００２２】
プロトコルタイプ判別器１１１で、前記検出されたプロトコルタイプ情報がネットワーク・ドメインを示すと判別されれば、第１ラストＵＲＩ生成器１１２は、前記コンテンツ資産に対する絶対的なラストＵＲＩを生成する。すなわち、コンテンツ資産の位置についての情報に含まれているプロトコルタイプ情報と、前記コンテンツ資産についてのあらゆる経路情報とを利用し、絶対的なラストＵＲＩを生成する。例えば、第１ラストＵＲＩ生成器１１２は、「http://os.osta.org/mpv/album.pvm」のように、絶対的なラストＵＲＩを生成できる。
【００２３】
プロトコルタイプ判別器１１１で前記検出されたプロトコルタイプ情報がローカル・ドメインを示すと判断されれば、第２ラストＵＲＩ生成器１１３は、入力されるコンテンツ資産の位置についての情報のうち、前記コンテンツ資産に相応するＭＰＶファイルを基準にしたコンテンツ資産についての経路情報を利用し、相対的なラストＵＲＩを生成する。
例えば、コンテンツ資産に対するファイルが図２に図示されているようなツリー構造で管理され、コンテンツ資産「Ａ．ｊｐｇ」に相応するＭＰＶファイルが、「ａｌｂｕｍ１．ｐｖｍ」というコンテンツ資産の位置についての情報が入力されれば、第２ラストＵＲＩ生成器１１３は、「ａｌｂｕｍ１．ｐｖｍ」を基準に「…／ｍｅｄｉａ／ｉｍａｇｅｓ／Ａ．ｊｐｇ」を、コンテンツ資産「Ａ．ｊｐｇ」の相対的なラストＵＲＩとして生成する。
【００２４】
第１ラストＵＲＩ生成器１１２または第２ラストＵＲＩ生成器１１３で生成される絶対的または相対的なラストＵＲＩは、生成されるＭＰＶファイルに含まれるように、ＭＰＶファイル・フォーマッタ（図示せず）のような構成要素に伝送されうる。図１に図示されたラストＵＲＩ生成装置は、生成されたコンテンツ資産のＭＰＶファイルを生成する装置に含まれうる。
【００２５】
図３は、本発明によるラストＵＲＩ生成方法の動作フローチャートである。
【００２６】
まず、ユーザによりコンテンツ資産の位置についての情報が入力されたか否かをチェックする（段階３０１）。コンテンツ資産の位置についての情報は、図１で言及したコンテンツ資産の位置についての情報のようである。
【００２７】
コンテンツ資産の位置についての情報が入力されたならば、入力されたコンテンツ資産の位置についての情報に含まれているプロトコルタイプ情報を検出する（段階３０２）。入力された情報から、プロトコルタイプ情報を検出する方式は、図１で説明した通りである。
【００２８】
検出されたプロトコルタイプ情報によって、コンテンツ資産のラストＵＲＩを図４に図示されたように生成する（段階３０３）。図４は、プロトコルタイプ情報によって、コンテンツ資産のラストＵＲＩを生成する過程の詳細フローチャートである。
【００２９】
図４を参照するに、まず、入力される情報から、検出されたプロトコルタイプ情報を分析する（段階４０１）。検出されたプロトコルタイプ情報に対する分析方式は、図１で説明した通りである。
【００３０】
分析結果、プロトコルタイプ情報がネットワーク・ドメインを表せば、コンテンツ資産の絶対的なラストＵＲＩをコンテンツ資産のラストＵＲＩとして生成する（段階４０２）。絶対的なラストＵＲＩは、入力される情報に含まれているプロトコルタイプ情報とコンテンツ資産のあらゆる経路情報とを利用して生成される。
【００３１】
分析結果、プロトコルタイプ情報がローカル・ドメインを表せば、コンテンツ資産の相対的なラストＵＲＩをコンテンツ資産のラストＵＲＩとして生成する（段階４０３）。相対的なラストＵＲＩは、図１及び図２で説明した通り、コンテンツ資産に相応するＭＰＶファイルの位置を基準にした経路情報を利用して生成される。
【００３２】
図３に図示された方法は、ＭＰＶファイル生成プロセッサ（図示せず）、またはＭＰＶファイル生成プロセッサ（図示せず）に含まれているラストＵＲＩ生成プロセッサ（図示せず）により実行されうる。前記ラストＵＲＩ生成プロセッサは、図１に図示されたラストＵＲＩ生成装置のように構成できる。
【００３３】
本発明によるラストＵＲＩ生成方法を実行するためのプログラムは、コンピュータで読み取り可能な記録媒体にコンピュータで読み取り可能なコードとして具現することが可能である。コンピュータで読み取り可能な記録媒体は、コンピュータ・システムによって読み取り可能なデータが保存されるあらゆる種類の保存装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを介した伝送）の形態で具現されるものも含む。またコンピュータで読み取り可能な記録媒体は、ネットワークに連結されたコンピュータ・システムに分散され、分散方式でコンピュータで読み取り可能なコードとして保存されて実行されうる。
【００３４】
以上、本発明についてその望ましい実施形態を中心に説明した。本発明の属する技術分野で当業者は、本発明が本発明の本質的な特性から外れない範囲で変形された形態に具現できるということを理解することができるであろう。従って、開示された実施形態は、限定的な観点ではなくして、説明的な観点から考慮されねばならない。本発明の範囲は、前述の説明ではなくして特許請求範囲に示されており、それと同等な範囲内にあるあらゆる差異点は、本発明に含まれていると解釈されねばならない。
【図面の簡単な説明】
【００３５】
【図１】本発明の望ましい実施形態によるラストＵＲＩ生成装置の機能ブロック図である。
【図２】本発明によるコンテンツ資産とＭＰＶファイルとの関係説明図である。
【図３】本発明によるラストＵＲＩ生成方法の動作フローチャートである。
【図４】プロトコルタイプ情報によってコンテンツ資産のラストＵＲＩを生成する過程の詳細フローチャートである。
【図１】
2009503642.tif 000003
【図２】
2009503642.tif 000004
【図３】
2009503642.tif 000005
【図４】
2009503642.tif 000006
【国際調査報告】
2009503642.tif 000007
2009503642.tif 000008